(57)【要約】【課題】本発明は苗育成用容器から抜けにくい表示体を提供することにある。【解決手段】苗育成用容器に取り付ける表示体であって、表示体は、苗に関する情報を表示する表示部と、苗育成用容器に差し込むことになる差込部とを有し、差込部は、上下方向の長さが幅長より長い舌片部を有することを特徴とする表示体によって解決される。【選択図】  図１
2004254642.tif 000002
【特許請求の範囲】
【請求項１】
苗育成用容器に取り付ける表示体であって、
前記表示体は、
苗に関する情報を表示する表示部と、
前記苗育成用容器に差し込むことになる差込部とを備え、
前記差込部は、上下方向の長さが５ｍｍ以上の舌片部を有する
ことを特徴とする表示体。
【請求項２】
前記舌片部は上下方向の長さが幅長より長いことを特徴とする請求項１に記載の表示体。
【請求項３】
前記差込部には、上下方向に折り目が設けられてなることを特徴とする請求項１又は請求項２に記載の表示体。
【請求項４】
周壁に孔が形成された苗育成用容器と、
請求項１乃至請求項３のいずれかに記載の表示体と
を具備することを特徴とする苗育成装置。
【発明の詳細な説明】
【０００１】
【発明が属する技術分野】
本発明は、例えば野菜や花等の植物の苗育成用容器に取り付ける表示体に関する。
【０００２】
【従来技術】
従来、育苗用の容器に差し込む、植物の名前や写真等を明示した表示体として図４に示すものが提案されている。図４中、８は、苗に関するデータを表示する表示体であり、例えば薄いプラスチックシート等から構成されている。表示体８には、図４に示す如く、上方に開口する切込部９ａ，９ｂが設けられており、この切込部９ａ，９ｂの存在によって舌片部１０ａ，１０ｂが形成される。この舌片部１０ａ，１０ｂは上方に開口する切込を設けて構成されたものであるから、表示体８を苗育成用容器の孔に差し込んだ場合、これを上に引き抜こうとすると舌片部１０ａ，１０ｂが引っかかるので、容易に抜けないと謳われている（特許文献１）。
【０００３】
【特許文献１】
実開平７―７３７２号公報
【発明が解決しようとする課題】
しかしながら、上方に開口する切込部を設けた上記提案の表示体であっても、表示体が苗育成用容器から抜けてしまう場合がしばしばあった。
【０００４】
そこで、本発明の解決しようとする課題は苗育成用容器から抜けにくい表示体を提供することにある。
【０００５】
【課題を解決するための手段】
ところで、前記特許文献１では、容易に抜けないと謳われているものの、現実には抜け取れることがしばしばあったことについての原因を、本発明者は鋭意探求していった。その結果、表示体に設けられた上方に開口する切込部によって形成された舌片部が苗育成用容器の孔に引っ掛かりはするものの、容易に外れてしまうことに気付くに至った。
【０００６】
すなわち、特許文献１にあっては、切込部における上下方向の深さが１〜２ｍｍ程度と浅いため、くい込み現象が起きず、簡単に外れてしまう場合があることに気付くに至った。
【０００７】
このような知見に基づいて本発明はなされたものであって、前記本発明の課題は、苗育成用容器に取り付ける表示体であって、
前記表示体は、
苗に関する情報を表示する表示部と、
前記苗育成用容器に差し込むことになる差込部とを備え、
前記差込部は、上下方向の長さが５ｍｍ以上の舌片部を有する
ことを特徴とする表示体によって解決される。
【０００８】
特に、前記舌片部の上下方向の長さが幅長より長い表示体によって解決される。
【０００９】
更に、前記差込部には、上下方向に折り目が設けられてなる表示体によって解決される。
【００１０】
又、周壁に孔が形成された苗育成用容器と、
前記表示体と
を具備することを特徴とする苗育成装置によって解決される。
【００１１】
すなわち、上記のように表示体を構成させておくと、外力が作用して表示体が抜け取れようとしても、舌片部端の溝（スリット）に苗育成用容器の孔が引っ掛かり、更にくい込んでいくので、抜け取れないのである。
【００１２】
【発明の実施の形態】
図１は本発明に係る苗育成用容器の表示体の正面図、図２は苗育成用容器に土壌が充填されると共に表示体が支持されている状態での斜視図である。
【００１３】
１は、表示体であり、例えば薄いプラスチックシート、若しくは厚紙等から構成されている。表示体１には、図１に示した通り、植物の名前や写真等を明示した表示部２と、この表示部２の下側に設けられた苗育成用容器に差し込むことになる差込部３とを有している。尚、差込部３の形状は、例えば逆台形状、若しくは逆三角形状等の形状である。
【００１４】
差込部３は、上下方向の長さＬが幅長Ｍより長い舌片部４ａ，４ｂを有している。但し、長さＬは５ｍｍ以上である。尚、上下方向の長さＬは、好ましくは約１０ｍｍ以上である。そして、上下方向の長さＬの上限は、差込部３の長さによって決まるものであるが、約３０ｍｍ程度もあれば充分である。本実施形態では、長さＬは２０ｍｍとした。又、幅長Ｍは、好ましくは約２ｍｍ〜１０ｍｍ程度である。本実施形態では、幅長Ｍは５ｍｍとした。そして、この舌片部４ａ，４ｂは、差込部３の端縁に沿ってスリットを入れることによって形成されている。
【００１５】
５ａ，５ｂは、舌片部４ａ，４ｂの上端部の位置に対応して、舌片部４ａ，４ｂの長手方向に対して交差する方向に設けられた切欠部である。この切欠部５ａ，５ｂを設けていると、苗育成用容器の孔に差し込まれている表示体１に対して抜き取る方向の外力が働いた場合、舌片部４ａ，４ｂが苗育成用容器の孔に引っ掛かり易くなる。
【００１６】
６は、差込部３の略中央部に沿って、上下方向に設けられた折り目である。この折り目６を設けていると、苗育成用容器の形状が円筒の場合、苗育成用容器の孔に表示体１を差し込む際に苗育成用容器の周壁に沿って差込部３を湾曲させることができるので、表示体１を苗育成用容器に差し込み易くなる。又、この折り目６を設けていると、苗育成用容器の孔に差し込まれている表示体１は、折り目６に沿って起立するので、表示体が見易くなる。更に、折り目６に沿って差込部３を湾曲させれば、舌片部４ａ，４ｂが孔８に引っ掛かりやすくなる。
【００１７】
７は、ポリエチレン等の薄い柔軟性のある樹脂材料で、例えば円筒状に成型された苗育成用の容器本体である。そして、容器本体７は、図２に示した通り、周壁７１と、周壁の下端部に設けられた底壁７２とからなる。
【００１８】
周壁７１には、機械的強度を補強する為に、上方部（例えば、上端縁から周壁７１の高さの１０％〜３０％程度の範囲）から下方部にかけては上下方向にリブ７３が形成され、かつ、前記上方部には周方向に沿ってリブ７４が形成されている。尚、容器本体７の形状は図に示すような形状に限定されることは無く、如何なる形状であっても良い。
【００１９】
８は、容器本体７の周壁７１に形成された孔であり、表示体１の差込部３を差し込むためのものである。この孔８は、上方部（例えば、上端縁から周壁７１の高さの１０％〜３０％程度の範囲）において、リブ７３に沿って設けられている。この孔８の形状は、如何なる形状であっても良い。例えば、直線状とか半楕円形状などに形成されている。本実施の形態では、略凹形状（半楕円形状）としている。又、孔８は前後左右の計４個設けられているが、その数は幾つ有っても良い。そして、孔８に、表示体１の差込部３が苗育成用容器７の周壁７１の外側から内側に向けて差し込まれる。尚、この時、表示体１に表示されている各種情報が内側になるように差し込まれる。
【００２０】
９は容器本体内に充填された土壌である。
【００２１】
上記のように構成していると、孔８に差し込まれた表示体１に抜落方向の外力が働いた際、舌片部４ａ，４ｂが孔８の縁に引っ掛かるや否やくい込んでいくので、表示体１は抜け取れない。すなわち、孔８と表示体１の舌片部４ａ，４ｂとの掛止力のみで表示体１を支持する場合に比べて、舌片部４ａ，４ｂが孔８の縁にくい込んでいくので、抜け取れない。
【００２２】
又、舌片部４ａ，４ｂは上方に向いているので、差込部３を孔８に差し込む際、舌片部４ａ，４ｂが孔８に引っ掛からず、差し込み易い。
【００２３】
本発明の実施の形態では、容器本体の外側から内側に表示体１を差し込んでいるが、例えば表示体１が容器本体内の苗の前に有るように、容器本体の内側から外側に向けて表示体１を孔８に差し込んでも良い。但し、この場合、前記実施の形態の場合よりも、高い位置まで土壌を充填することが要請される。
【００２４】
図３は、本発明に係る表示体の他の実施形態の正面図である。
【００２５】
本実施形態にあっては、差込部３の形状が三角形状になっているに過ぎず、その他の構成は前記実施形態のものと基本的に同一なので、同一部分には同一符号を付し、詳細な説明は省略する。
【発明の効果】
本発明によれば、苗育成用容器の孔に差し込まれた表示体に抜落方向の外力が働いても、表示体の舌片部端のスリットが容器本体部の孔の縁に引っ掛かるや否や表示体の舌片部がくい込んでいくようになるので、表示体は抜け取れない。すなわち、本発明は、苗育成容器の孔の縁に表示体の切込部を引っ掛けるのに比べて、舌片部端のスリットが孔の縁に引っ掛かり、表示体の舌片部がくい込むので、抜け取れない。
【図面の簡単な説明】
【図１】本発明にかかる表示体の正面図
【図２】本発明にかかる苗育成用容器に土壌が充填されると共に表示体が支持されている状態での斜視図
【図３】本発明にかかる表示体の正面図
【図４】従来技術にかかる表示体の正面図
【符号の説明】
１            表示体
２            表示部
３            差込部
４ａ，４ｂ    舌片部
５ａ，５ｂ    第二の切込部
６            折り目
７            容器本体
８            孔
９            土壌
７１          周壁
７２          底壁
７３，７４    リブ
【図１】
2004254642.tif 000003
【図２】
2004254642.tif 000004
【図３】
2004254642.tif 000005
【図４】
2004254642.tif 000006